(57)【要約】      （修正有）【課題】切粉と油で汚れた液から油を分離回収し、ろ過してクリーンな液となるよう同時に処理をして再使用が出来る装置を提供する。【解決手段】本装置を一カ所に据え置きして、それぞれの機械のタンクからバキュームクリーナーで浮上している油と液を吸い上げてきて本装置のタンク内に空けるだけで良く、油水分離装置と、ろ過装置とを一つにまとめた構成をしている。汲み上げた汚液は油水分離槽で油と液に分離されて油は外部の受け皿に入る。分離された液は自然に下方へ流れ、ろ過装置内のフィルターでろ過されて再生可能なクリーン液となる。【選択図】図１
0003166884.tif 000002
【実用新案登録請求の範囲】
【請求項１】
金網２が設けられた油受けタンクで汚液を一旦プールできる構造。
【請求項２】
油水分離槽内部は仕切り板１５−ｂと切欠き穴１５−ａと遮蔽板６があり流体管５から配水槽１１へ液が流れ出る構造。
【請求項３】
流体管５から流れ出た液はろ過装置１６内の配水槽１１に溜るが、配水槽１１には横へいくつかに分岐した複数の送水管１０が取り付けてあり、横に穴の開いた複数のフィルター１２を横から送水管１０へ差込む構造。
【請求項４】
本装置は汚液の投入〜ポンプ汲上〜油水分離〜フィルターろ過を一環して行える装置であり、それぞれが一体となって一個の構造。
【考案の詳細な説明】
【技術分野】
【０００１】本考案はタンク内に浮上している浮上油の回収と、液をろ過して再使用可能なクリーン液にすることに関する。
【背景技術】
【０００２】従来の浮上油分離の方法はオイルスキマーや、フロートを使用して浮上油を吸い上げて油水分離する方法が一般的であり、工作機械一台につき、油水分離装置を一台取り付けて浮上油を回収していた。【０００３】また、浮上油を分離しただけではクーラント液は切粉等で汚れており、そのまま使用しても微細な切粉等が残っているため、液を長く再使用するには問題があった。
【考案の概要】
【考案が解決しようとしている課題】
【０００４】本考案は、以上のような従来の欠点に鑑み、工場内のどこにでもあるバキュームクリーナーを使用して浮上油とクーラント液を一緒にペール缶内に吸いこみ、ペール缶内に溜った汚液を本装置の油受け口に空けるだけで良い。液は油水分離した後、ろ過装置内のフィルター内に流れて液をクリーンにして再使用を可能にした。
この方法によると、機械一台ごとの設置は必要が無く、どの機械からでも必要に応じて汚液を回収して本機に空けるだけでよい。
【課題を解決するための手段】
【０００５】
【請求項１】
油を含んだクーラント液を本装置内に取り込むため一時的に液を貯蔵する金網を付けた油受けタンクを設けることを特徴とする油水分離装置とろ過装置。
【請求項２】
油を含んだクーラント液は油受けタンクからポンプで汲み上げ、上部に設置した油水分離槽を設けることを特徴とする油水分離装置とろ過装置。
【請求項３】
油分分離槽で油を分離した液は自然落下して油水分離槽の下側にあるろ過装置内に流れ、ろ過装置内に設けたフィルターでろ過できることを特徴とする油水分離装置とろ過装置。
【請求項４】
液を入れる油受けタンクと液を汲上げるポンプ装置と油を分離する油水分離と液をろ過できるフィルター装置が一体となり一個となっていることを特徴とする油水分離装置とろ過装置。
【考案の効果】
【０００６】以上の説明から明らかなように、本考案にあっては次に列挙する効果が得られる。
（１）請求項１で構成されている油受けタンクに汚液を入れたペール缶を空けるとポンプが作動してタンク内の汚液を油水分離装置まで汲み上げる。
（２）汲み上げた汚液は油水分離槽で油と液に分離されて油は外部の受け皿に入る。分離された液は自然に下方へ流れ、ろ過装置内のフィルターでろ過されて再生可能なクリーン液となる。
（３）複数台の機械があってもそれぞれの機械からバキュームクリーナーで吸い上げてきて、本装置へ流し込むだけなので台数も本機一台で十数台の機械のクーラント液の処理が可能となる。
【図面の簡単な説明】
【０００７】
【図１】本考案を実施するための第一の形態の断面図である。
【考案を実施するための形態】
【０００８】以下、本考案の実施の形態を図に基づいて説明する。
【実施例１】
【０００９】図１により、バキュームクリナーで吸い上げた汚液を油受けタンク１に空けるとポンプ３が作動するので汚液は金網２を通り抜けてポンプ内に入り混合液室４に溜る。さらに液が送り込まれると混合室内の油は比重差により上方へ浮いて行き油を含まない液は下方に沈む。混合液室４内には仕切り板１５−ｂがあり下方に切欠き穴１５−ａが有るので油を含まない液はここを通過して上方へ流れる。液は上昇を続けるが流体管５に達すると流体管５内に穴が開いているのでここから液が流れ出て配水槽１１へ達する。流体管５は上下に調整可能な構造になっている。一方油は少しずつ濃度を増しながら上方へ向かって浮き、遮蔽板６に沿ってさらに溜ると浮上油出口８から流れ出て油受９に溜る。浮上油出口８と流体管５には高低差が有り、流体管５が少し低くなっているので通常は流体管５から液が流れているだけであるが浮上油７が多くなると油が溜って浮上油出口８から油のみが流れ出る。
油水分離槽１５で油水分離された液はろ過装置１６内に入り配水槽１１にはいくつかの送水管１０が並んでいるので分岐れてフィルター１２へ流れる。フィルター１は、横に穴があるので送水管１０に差込んであり送水管１０の数だけ準備されている。
フィルター１２でろ過された液は油と微細な切粉を分離したクリーンな液となっており、再使用が十分可能な液であり、ろ過されたクリーン液はペール缶１４へ流れ出る。
【実施の形態の効果】
【０００９】本装置を導入することにより、切粉と油で汚れた液から油の分離回収と、ろ過してクリーンな液となるよう同時に処理をして再使用が出来るようにしたものである。さらに、複数台の機械装置から汚液を回収して本装置へ入れるだけで液の処理ができるので、個別にそれぞれの装置を設置をする必要もなく費用の点でも節約できる。
【産業上の利用の可能性】
【００１１】本考案は、工作機械の切削液、洗浄機の洗浄液、排水施設等を使用する産業で利用される。
【符号の説明】
【００１２】油受けタンク１    金網２    ポンプ３    混合液室４    流体管５    遮蔽板６
浮上油７    浮上油出口８    油受９
送水管１０    配水槽１１    フィルター１２    排水口１３    ペール缶１４
油水分離槽１５    切欠き穴１５−ａ    仕切り板１５−ｂ    ろ過装置１６
【図１】
0003166884.tif 000003
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
タンク内の液中に浮上する浮上油を分離回収する浮上油回収装置であって、油を含む汚液を貯留する油受けタンクと、油受けタンクから混合液室に汚液を送るポンプと、油受けタンクにより下方から送液された汚液を貯留し、油を浮上分離するための混合液室と、混合液室上部に設けられ、浮上分離された油を混合液室外に排出するための浮上油出口と、混合液室と隣接して設けられ、混合液室の側壁に設けられた浮上油出口よりも下方の切欠き穴により混合液室と連通する油液分離層と、油液分離層の内部に配置され、上方の開口部から油が分離された液を油液分離層外に排出するための流体管と、を備え、流体管の開口部の高さを調整することにより、浮上油出口からは混合液室において浮上分離された油を排出し、流体管からは油が分離された液を排出可能に構成されたことを特徴とする浮上油回収装置。
【請求項２】
前記流体管に接続され、油が分離された液をフィルターろ過するためのろ過装置を備えたことを特徴とする請求項１に記載の浮上油回収装置。
【手続補正２】
【補正対象書類名】明細書
【補正対象項目名】全文
【補正方法】変更
【補正の内容】
【考案の詳細な説明】
【技術分野】
【０００１】  本考案はタンク内に浮上している浮上油を回収し、液をろ過して再使用可能なクリーン液にする浮上油回収装置に関する。
【背景技術】
【０００２】  従来の浮上油分離の方法はオイルスキマーや、フロートを使用して浮上油を吸い上げて油水分離する方法が一般的であり、工作機械一台につき、油水分離装置を一台取り付けて浮上油を回収していた。
【考案の概要】
【考案が解決しようとしている課題】
【０００３】  浮上油を分離しただけではクーラント液は切粉等で汚れており、そのまま使用しても微細な切粉等が残っているため、液を長く再使用するには問題があった。
【０００４】  本考案は、以上のような従来の欠点に鑑み、工場内のどこにでもあるバキュームクリーナーを使用して浮上油とクーラント液を一緒にペール缶内に吸いこみ、ペール缶内に溜った汚液を本装置の油受け口に空けるだけで良い。液は油水分離した後、ろ過装置内のフィルター内に流れて液をクリーンにして再使用を可能にした。この方法によると、機械一台ごとの設置は必要が無く、どの機械からでも必要に応じて汚液を回収して本機に空けるだけでよい。
【課題を解決するための手段】
【０００５】  請求項１に記載の考案では、タンク内の液中に浮上する浮上油を分離回収する浮上油回収装置であって、油を含む汚液を貯留する油受けタンクと、油受けタンクから混合液室に汚液を送るポンプと、油受けタンクにより下方から送液された汚液を貯留し、油を浮上分離するための混合液室と、混合液室上部に設けられ、浮上分離された油を混合液室外に排出するための浮上油出口と、混合液室と隣接して設けられ、混合液室の側壁に設けられた浮上油出口よりも下方の切欠き穴により混合液室と連通する油液分離層と、油液分離層の内部に配置され、上方の開口部から油が分離された液を油液分離層外に排出するための流体管と、を備え、流体管の開口部の高さを調整することにより、浮上油出口からは混合液室において浮上分離された油を排出し、流体管からは油が分離された液を排出可能に構成された、という技術的手段を用いる。  また、請求項２に記載の考案では、請求項１に記載の浮上油回収装置において、前記流体管に接続され、油が分離された液をフィルターろ過するためのろ過装置を備えた、という技術的手段を用いる。
【考案の効果】
【０００６】  以上の説明から明らかなように、本考案にあっては次に列挙する効果が得られる。（１）油受けタンクに汚液を入れたペール缶を空けるとポンプが作動してタンク内の汚液を油水分離装置まで汲み上げる。（２）汲み上げた汚液は油水分離槽で油と液に分離されて油は外部の受け皿に入る。分離された液は自然に下方へ流れ、ろ過装置内のフィルターでろ過されて再生可能なクリーン液となる。（３）複数台の機械があってもそれぞれの機械からバキュームクリーナーで吸い上げてきて、本装置へ流し込むだけなので台数も本機一台で十数台の機械のクーラント液の処理が可能となる。
【図面の簡単な説明】
【０００７】
【図１】本考案を実施するための第一の形態の断面図である。
【考案を実施するための形態】
【０００８】  以下、本考案の実施の形態を図に基づいて説明する。
【０００９】  図１により、バキュームクリナーで吸い上げた汚液を油受けタンク１に空けるとポンプ３が作動するので汚液は金網２を通り抜けてポンプ内に入り混合液室４に溜る。さらに液が送り込まれると混合液室内の油は比重差により上方へ浮いて行き油を含まない液は下方に沈む。混合液室４内には仕切り板１５ｂがあり下方に切欠き穴１５ａが有るので油を含まない液はここを通過して上方へ流れる。液は上昇を続けるが流体管５に達すると流体管５内に穴が開いているのでここから液が流れ出て配水槽１１へ達する。流体管５は上下に調整可能な構造になっている。一方、油は少しずつ濃度を増しながら上方へ向かって浮き、遮蔽板６に沿ってさらに溜ると浮上油出口８から流れ出て油受９に溜る。浮上油出口８と流体管５には高低差が有り、流体管５が少し低くなっているので通常は流体管５から液が流れているだけであるが浮上油７が多くなると油が溜って浮上油出口８から油のみが流れ出る。油水分離槽１５で油水分離された液はろ過装置１６内に入り配水槽１１にはいくつかの送水管１０が並んでいるので分岐れてフィルター１２へ流れる。フィルター１２は、横に穴があるので送水管１０に差込んであり送水管１０の数だけ準備されている。フィルター１２でろ過された液は油と微細な切粉を分離したクリーンな液となっており、再使用が十分可能な液であり、ろ過されたクリーン液はペール缶１４へ流れ出る。
【００１０】（実施形態の効果）  本装置を導入することにより、切粉と油で汚れた液から油の分離回収と、ろ過してクリーンな液となるよう同時に処理をして再使用が出来るようにしたものである。さらに、複数台の機械装置から汚液を回収して本装置へ入れるだけで液の処理ができるので、個別にそれぞれの装置を設置をする必要もなく費用の点でも節約できる。
【産業上の利用可能性】
【００１１】  本考案は、工作機械の切削液、洗浄機の洗浄液、排水施設等を使用する産業で利用される。
【符号の説明】
【００１２】  １  油受けタンク、２  金網、３  ポンプ、４  混合液室、５  流体管、６  遮蔽板、７  浮上油、８  浮上油出口、９  油受、１０  送水管、１１  配水槽、１２  フィルター、１３  排水口、１４  ペール缶、１５  油水分離槽、１５ａ  切欠き穴、１５ｂ  仕切り板、１６  ろ過装置
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
タンク内の液中に浮上する浮上油を分離回収する浮上油回収装置であって、油を含む汚液を貯留する油受けタンクと、油受けタンクから混合液室に汚液を送るポンプと、油受けタンクにより下方から送液された汚液を貯留し、油を浮上分離するための混合液室と、混合液室上部に設けられ、浮上分離された油を混合液室外に排出するための浮上油出口と、混合液室と隣接して設けられ、混合液室の側壁に設けられた浮上油出口よりも下方の切欠き穴により混合液室と連通する油液分離槽と、油液分離槽の内部に配置され、上方の開口部から油が分離された液を油液分離槽外に排出するための流体管と、を備え、流体管の開口部の高さを調整することにより、浮上油出口からは混合液室において浮上分離された油を排出し、流体管からは油が分離された液を排出可能に構成されたことを特徴とする浮上油回収装置。
【請求項２】
前記流体管に接続され、油が分離された液をフィルターろ過するためのろ過装置を備えたことを特徴とする請求項１に記載の浮上油回収装置。
【手続補正２】
【補正対象書類名】明細書
【補正対象項目名】全文
【補正方法】変更
【補正の内容】
【考案の詳細な説明】
【技術分野】
【０００１】本考案はタンク内に浮上している浮上油を回収し、液をろ過して再使用可能なクリーン液にする浮上油回収装置に関する。
【背景技術】
【０００２】従来の浮上油分離の方法はオイルスキマーや、フロートを使用して浮上油を吸い上げて油水分離する方法が一般的であり、工作機械一台につき、油水分離装置を一台取り付けて浮上油を回収していた。
【考案の概要】
【考案が解決しようとしている課題】
【０００３】浮上油を分離しただけではクーラント液は切粉等で汚れており、そのまま使用しても微細な切粉等が残っているため、液を長く再使用するには問題があった。
【０００４】本考案は、以上のような従来の欠点に鑑み、工場内のどこにでもあるバキュームクリーナーを使用して浮上油とクーラント液を一緒にペール缶内に吸いこみ、ペール缶内に溜った汚液を本装置の油受け口に空けるだけで良い。液は油水分離した後、ろ過装置内のフィルター内に流れて液をクリーンにして再使用を可能にした。この方法によると、機械一台ごとの設置は必要が無く、どの機械からでも必要に応じて汚液を回収して本機に空けるだけでよい。
【課題を解決するための手段】
【０００５】請求項１に記載の考案では、タンク内の液中に浮上する浮上油を分離回収する浮上油回収装置であって、油を含む汚液を貯留する油受けタンクと、油受けタンクから混合液室に汚液を送るポンプと、油受けタンクにより下方から送液された汚液を貯留し、油を浮上分離するための混合液室と、混合液室上部に設けられ、浮上分離された油を混合液室外に排出するための浮上油出口と、混合液室と隣接して設けられ、混合液室の側壁に設けられた浮上油出口よりも下方の切欠き穴により混合液室と連通する油液分離槽と、油液分離槽の内部に配置され、上方の開口部から油が分離された液を油液分離槽外に排出するための流体管と、を備え、流体管の開口部の高さを調整することにより、浮上油出口からは混合液室において浮上分離された油を排出し、流体管からは油が分離された液を排出可能に構成された、という技術的手段を用いる。また、請求項２に記載の考案では、請求項１に記載の浮上油回収装置において、前記流体管に接続され、油が分離された液をフィルターろ過するためのろ過装置を備えた、という技術的手段を用いる。
【考案の効果】
【０００６】以上の説明から明らかなように、本考案にあっては次に列挙する効果が得られる。（１）油受けタンクに汚液を入れたペール缶を空けるとポンプが作動してタンク内の汚液を油水分離装置まで汲み上げる。（２）汲み上げた汚液は油水分離槽で油と液に分離されて油は外部の受け皿に入る。分離された液は自然に下方へ流れ、ろ過装置内のフィルターでろ過されて再生可能なクリーン液となる。（３）複数台の機械があってもそれぞれの機械からバキュームクリーナーで吸い上げてきて、本装置へ流し込むだけなので台数も本機一台で十数台の機械のクーラント液の処理が可能となる。
【図面の簡単な説明】
【０００７】
【図１】本考案を実施するための第一の形態の断面図である。
【考案を実施するための形態】
【０００８】  以下、本考案の実施の形態を図に基づいて説明する。
【０００９】  図１により、バキュームクリナーで吸い上げた汚液を油受けタンク１に空けるとポンプ３が作動するので汚液は金網２を通り抜けてポンプ内に入り混合液室４に溜る。さらに液が送り込まれると混合液室内の油は比重差により上方へ浮いて行き油を含まない液は下方に沈む。混合液室４内には仕切り板１５ｂがあり下方に切欠き穴１５ａが有るので油を含まない液はここを通過して上方へ流れる。液は上昇を続けるが流体管５に達すると流体管５内に穴が開いているのでここから液が流れ出て配水槽１１へ達する。流体管５は上下に調整可能な構造になっている。一方、油は少しずつ濃度を増しながら上方へ向かって浮き、遮蔽板６に沿ってさらに溜ると浮上油出口８から流れ出て油受９に溜る。浮上油出口８と流体管５には高低差が有り、流体管５が少し低くなっているので通常は流体管５から液が流れているだけであるが浮上油７が多くなると油が溜って浮上油出口８から油のみが流れ出る。油水分離槽１５で油水分離された液はろ過装置１６内に入り配水槽１１にはいくつかの送水管１０が並んでいるので分岐れてフィルター１２へ流れる。フィルター１２は、横に穴があるので送水管１０に差込んであり送水管１０の数だけ準備されている。フィルター１２でろ過された液は油と微細な切粉を分離したクリーンな液となっており、再使用が十分可能な液であり、ろ過されたクリーン液はペール缶１４へ流れ出る。
【００１０】（実施形態の効果）  本装置を導入することにより、切粉と油で汚れた液から油の分離回収と、ろ過してクリーンな液となるよう同時に処理をして再使用が出来るようにしたものである。さらに、複数台の機械装置から汚液を回収して本装置へ入れるだけで液の処理ができるので、個別にそれぞれの装置を設置をする必要もなく費用の点でも節約できる。
【産業上の利用可能性】
【００１１】  本考案は、工作機械の切削液、洗浄機の洗浄液、排水施設等を使用する産業で利用される。
【符号の説明】
【００１２】  １  油受けタンク、２  金網、３  ポンプ、４  混合液室、５  流体管、６  遮蔽板、７  浮上油、８  浮上油出口、９  油受、１０  送水管、１１  配水槽、１２  フィルター、１３  排水口、１４  ペール缶、１５  油水分離槽、１５ａ  切欠き穴、１５ｂ  仕切り板、１６  ろ過装置